(57)【要約】【課題】光軸方向に可動の光量調節部材を高精度に支持することができ、かつ構成が簡単で安価に得られるレンズ鏡筒の光量調節ユニット支持構造を提供する。【解決手段】光量調節部材を保持する光量調節部材保持枠；この光量調節部材保持枠の前後に位置し、光軸方向間隔が一定に固定された前方支持部材と後方支持部材；光量調節部材保持枠と前方支持部材の一方と他方に形成された、光軸方向に延びる前方ガイドピンと、該前方ガイドピンが摺動可能に挿入される前方ピン支持穴；及び、光量調節部材保持枠と後方支持部材の一方と他方に形成された、光軸方向に延びる後方ガイドピンと、該後方ガイドピンが摺動可能に挿入される後方ピン支持穴；を備え、光量調節部材保持枠が、前後のガイドピンと前後のピン支持穴によって、前方支持部材と後方支持部材の間で光軸方向へ移動可能に支持されることを特徴としたレンズ鏡筒の光量調節ユニット支持構造。【選択図】図７
2010008744.tif 000002
【特許請求の範囲】
【請求項１】
光量調節部材を保持する光量調節部材保持枠；
上記光量調節部材保持枠の前後に位置し、光軸方向間隔が一定に固定された前方支持部材と後方支持部材；
光量調節部材保持枠と前方支持部材の一方と他方に形成された、光軸方向に延びる前方ガイドピンと、該前方ガイドピンが摺動可能に挿入される前方ピン支持穴；及び
光量調節部材保持枠と後方支持部材の一方と他方に形成された、光軸方向に延びる後方ガイドピンと、該後方ガイドピンが摺動可能に挿入される後方ピン支持穴；
を備え、
光量調節部材保持枠は、上記前後のガイドピンと前後のピン支持穴によって、上記前方支持部材と後方支持部材の間で光軸方向へ移動可能に支持されることを特徴とするレンズ鏡筒の光量調節ユニット支持構造。
【請求項２】
請求項１記載のレンズ鏡筒の光量調節ユニット支持構造において、上記前方支持部材は光量調節部材保持枠の前方移動を規制する前方移動規制部を有し、上記後方支持部材は光量調節部材保持枠の後方移動を規制する後方移動規制部を有し、
上記前方ガイドピンが前方支持部材の前方移動規制部から突出され、上記後方ガイドピンが後方支持部材の後方移動規制部から突出され、上記前後のピン支持穴が光量調節部材保持枠に形成されているレンズ鏡筒の光量調節ユニット支持構造。
【請求項３】
請求項１または２記載のレンズ鏡筒の光量調節ユニット支持構造において、上記前方ガイドピンと後方ガイドピンが同軸上に位置しているレンズ鏡筒の光量調節ユニット支持構造。
【請求項４】
請求項３記載のレンズ鏡筒の光量調節ユニット支持構造において、上記光量調節部材保持枠は光軸方向へ貫通する貫通穴を有し、該貫通穴の一部が上記前後のピン支持穴を構成しているレンズ鏡筒の光量調節ユニット支持構造。
【請求項５】
請求項１ないし４のいずれか１項記載のレンズ鏡筒の光量調節ユニット支持構造において、上記前方支持部材はレンズ群を保持し、光量調節部材保持枠は、撮影状態では該レンズ群と光量調節部材の光軸方向位置を異ならせ、撮影状態から撮影を行わない収納状態になるとき、該レンズ群と光量調節部材の光軸方向位置を重ならせる位置に移動されるレンズ鏡筒の光量調節ユニット支持構造。
【請求項６】
請求項５記載のレンズ鏡筒の光量調節ユニット支持構造において、上記光量調節部材保持枠を後方支持部材側に付勢する付勢手段を備え、
撮影状態から収納状態になるとき、上記前方支持部材と後方支持部材が光軸方向後方に移動し、その後方への移動の途中で、光量調節部材保持枠が後方支持部材より後方に位置する別の後方部材に当接して後方移動が規制され、該光量調節部材保持枠が上記付勢手段の付勢力に抗して前方支持部材に接近されるレンズ鏡筒の光量調節ユニット支持構造。
【請求項７】
請求項１ないし４のいずれか１項記載の光量調節ユニット支持構造において、上記光量調節部材保持枠を前方支持部材と後方支持部材のいずれか一方に向けて付勢する付勢手段を備え、レンズ鏡筒が撮影状態から撮影を行わない収納状態になるとき、光量調節部材保持枠は付勢手段の付勢力に抗して付勢方向と反対の方向に移動するレンズ鏡筒の光量調節ユニット支持構造。
【請求項８】
レンズ群を保持するレンズ保持部材に対して、光量調節部材を保持する光量調節部材保持枠を光軸方向に相対移動可能に支持するレンズ鏡筒の光量調節ユニット支持構造において、
上記レンズ保持部材に固定され、該レンズ保持部材から離れる方向の光量調節部材保持枠の光軸方向移動を規制する移動規制部材を備え、
上記光量調節部材保持枠が、上記レンズ保持部材と移動規制部材のそれぞれに対して、光軸方向に延びるガイドピンと該ガイドピンが摺動可能に嵌るピン支持穴によって個別に光軸方向に移動可能に支持されることを特徴とするレンズ鏡筒の光量調節ユニット支持構造。
【発明の詳細な説明】
【技術分野】
【０００１】
本発明はレンズ鏡筒の光量調節ユニット支持構造に関する。
【背景技術】
【０００２】
レンズシャッタタイプのレンズ鏡筒では、シャッタや絞り等の光量調節ユニットはレンズ群の保持枠を介して支持されることが多い。撮影時には、シャッタ羽根や絞り羽根等の光量調節部材は光学設計上定められた位置になければならないが、撮影を行わないレンズ鏡筒の収納時には、光学的制約がなくなるため、光軸方向において光量調節ユニットをレンズ群に接近させるなどして、収納長のコンパクト化を図ることができる。シャッタユニットを光軸方向へ可動に支持する構造として、例えば特許文献１がある。
【特許文献１】特開２００４−２０６１１５号公報
【発明の開示】
【発明が解決しようとする課題】
【０００３】
特許文献１では、光軸方向に長い１本のシャフトによってシャッタユニットを可動に支持している。このような長いシャフトを、樹脂の成形品としてレンズ保持枠と一体に成形しようとした場合、パーティングラインが入ることを避けるため、シャフトの軸方向に型抜きすることが想定される。しかし、シャフトが長いと離型用の抜き勾配を設けなければならず、抜き勾配によりシャフト外面に傾斜がつくと、がたつきや傾きの原因となり、シャッタを高精度にガイドすることが難しくなる。レンズ保持枠とは別部材からなる金属製のシャフトを用いれば、精度は確保しやすくなるが、製造コストが高くなってしまう。
【０００４】
本発明は、光軸方向に可動の光量調節ユニットを高い精度で支持することができ、かつ構成が簡単で安価に得られるレンズ鏡筒の光量調節ユニット支持構造を提供することを目的とする。
【課題を解決するための手段】
【０００５】
本発明によるレンズ鏡筒の光量調節ユニット支持構造は、光量調節部材を保持する光量調節部材保持枠；この光量調節部材保持枠の前後に位置し、光軸方向間隔が一定に固定された前方支持部材と後方支持部材；光量調節部材保持枠と前方支持部材の一方と他方に形成された、光軸方向に延びる前方ガイドピンと、該前方ガイドピンが摺動可能に挿入される前方ピン支持穴；及び、光量調節部材保持枠と後方支持部材の一方と他方に形成された、光軸方向に延びる後方ガイドピンと、該後方ガイドピンが摺動可能に挿入される後方ピン支持穴；を備え、光量調節部材保持枠が、前後のガイドピンと前後のピン支持穴によって、前方支持部材と後方支持部材の間で光軸方向へ移動可能に支持されることを特徴としている。
【０００６】
ガイドピンとピン支持穴を前後の支持部材と光量調節部材保持枠のいずれに設けるかは、任意に選択可能である。例えば、前方支持部材が、光量調節部材保持枠の前方移動を規制する前方移動規制部を備え、後方支持部材が、光量調節部材保持枠の後方移動を規制する後方移動規制部を備えており、前方ガイドピンを前方支持部材の前方移動規制部から突出させ、後方ガイドピンを後方支持部材の後方移動規制部から突出させることができる。この場合、前後のピン支持穴が光量調節部材保持枠に形成される。
【０００７】
前方ガイドピンと後方ガイドピンは、好ましくは同軸上に位置しているとよい。前後のガイドピンが同軸上に位置する場合、光量調節部材保持枠に光軸方向へ貫通する貫通穴を形成し、該貫通穴の一部によって前後のピン支持穴を構成すると、構造の簡略化を図ることができる。
【０００８】
前方支持部材がレンズ群を保持する場合、光量調節部材保持枠は、撮影状態では該レンズ群と光量調節部材の光軸方向位置を異ならせて保持され、撮影状態から撮影を行わない収納状態になるとき、該レンズ群と光量調節部材の光軸方向位置を重ならせる位置に移動されることが好ましい。より詳しくは、光量調節部材保持枠を後方支持部材側に付勢する付勢手段を備え、撮影状態から収納状態になるとき、前方支持部材と後方支持部材が光軸方向後方に移動し、その後方への移動の途中で、光量調節部材保持枠が後方支持部材より後方に位置する別の後方部材に当接して後方移動が規制される。前方支持部材と後方支持部材は後方移動を続けるため、光量調節部材保持枠が付勢手段の付勢力に抗して前方支持部材に接近される。
【０００９】
また、前方支持部材と後方支持部材がレンズ群を支持しているか否かを問わず、光量調節部材保持枠を前方支持部材と後方支持部材のいずれか一方に向けて付勢する付勢手段を備え、レンズ鏡筒が撮影状態から撮影を行わない収納状態になるとき、光量調節部材保持枠は付勢手段の付勢力に抗して付勢方向と反対の方向に移動されるように構成するとよい。例えば、先に述べた態様とは逆に、光量調節部材保持枠を前方支持部材側に付勢しておき、撮影状態から収納状態になるとき、光量調節部材保持枠が後方支持部材への接近方向へ移動されるようにしてもよい。
【００１０】
本発明はまた、レンズ群を保持するレンズ保持部材に対して、光量調節部材を保持する光量調節部材保持枠を光軸方向に相対移動可能に支持するレンズ鏡筒の光量調節ユニット支持構造において、レンズ保持部材に固定され、該レンズ保持部材から離れる方向の光量調節部材保持枠の光軸方向移動を規制する移動規制部材を備え、光量調節部材保持枠が、レンズ保持部材と移動規制部材のそれぞれに対して、光軸方向に延びるガイドピンと該ガイドピンが摺動可能に嵌るピン支持穴によって個別に光軸方向に移動可能に支持されることを特徴としている。
【発明の効果】
【００１１】
以上の本発明によれば、光量調節部材保持枠を前後に分けて配したガイドピンによって光軸方向に案内するため、軸長の長いシャフトを用いずに済み、光量調節部材保持枠を高精度に支持することができる。また、このガイドピンは、前後の支持部材や光量調節部材保持枠と一体の成形品として構成できるので、製造コストを低く抑えることができる。
【発明を実施するための最良の形態】
【００１２】
図１から図４を参照して、本発明による光量調節ユニット支持構造を備えたズームレンズ鏡筒７０の概略構造を説明する。このズームレンズ鏡筒７０の撮像光学系は、物体（被写体）側から順に第１レンズ群ＬＧ１、第２レンズ群ＬＧ２、絞り兼用のシャッタ羽根Ｓ、第３レンズ群ＬＧ３、ローパスフィルタ２５及び撮像素子７１を備えており、以下の説明中で光軸方向とは、この撮影光学系の光軸Ｏと平行な方向を意味する。
【００１３】
ローパスフィルタ２５と撮像素子７１はユニット化されて撮像素子ホルダ２３に固定され、撮像素子ホルダ２３がハウジング２２の後部に固定される。ハウジング２２の外側には、ズームモータ１５０とＡＦモータ１６０が支持されている。
【００１４】
第３レンズ群ＬＧ３を保持する３群レンズ枠５１は、ハウジング２２に対して光軸方向に移動可能に支持されていて、ＡＦモータ１６０によって駆動される。
【００１５】
ハウジング２２の内側にはカム環１１が支持されている。カム環１１は、ズームモータ１５０の駆動力によって回転され、鏡筒収納状態（図３）から撮影状態（図４）になるまでの間は、回転しながら光軸方向に移動し、撮影状態におけるズーム域（図４上半のワイド端と図４下半のテレ端の間）では、光軸方向には定位置で回転される。
【００１６】
カム環１１を挟んで第１繰出筒１３と直進案内環１０が支持されている。第１繰出筒１３と直進案内環１０はそれぞれハウジング２２に対して光軸方向に直進案内されており、かつカム環１１に対しては、相対回転は可能で光軸方向に共に移動するように結合されている。
【００１７】
直進案内環１０は、２群レンズ移動枠８を光軸方向へ相対移動可能に直進案内している。２群レンズ移動枠８の内部には、第２レンズ群ＬＧ２を保持する２群レンズ保持枠２、シャッタ羽根Ｓを保持するシャッタブロック１００が支持されている。また、ハウジング２２に対して光軸方向に直進案内された第１繰出筒１３はさらに、第２繰出筒１２を光軸方向へ相対移動可能に直進案内している。第２繰出筒１２の内部には、１群レンズ保持枠１を介して第１レンズ群ＬＧ１が支持されている。
【００１８】
第２繰出筒１２は内径方向に突出する１群用カムフォロアＣＦ１を有し、この１群用カムフォロアＣＦ１が、カム環１１の外周面に形成した１群制御カム溝ＣＧ１に摺動可能に嵌合している。第２繰出筒１２は第１繰出筒１３を介して光軸方向に直進案内されているため、カム環１１が回転すると、１群制御カム溝ＣＧ１の形状に従って、第２繰出筒１２すなわち第１レンズ群ＬＧ１が光軸方向へ所定の軌跡で移動する。
【００１９】
カム環１１の内周面に形成した２群制御カム溝ＣＧ２に対し、２群レンズ移動枠８の外周面に設けた２群用カムフォロアＣＦ２が係合している。２群レンズ移動枠８は直進案内環１０を介して光軸方向に直進案内されているため、カム環１１が回転すると、２群制御カム溝ＣＧ２の形状に従って、２群レンズ移動枠８すなわち第２レンズ群ＬＧ２が光軸方向へ所定の軌跡で移動する。
【００２０】
２群レンズ移動枠８と第２繰出筒１２の間には、圧縮ばねからなる群間付勢ばね２７が挿入されており、２群レンズ移動枠８と第２繰出筒１２は互いに離間する方向に付勢されている。
【００２１】
以上の構造からなるズームレンズ鏡筒７０は次のように動作する。図１及び図３に示す鏡筒収納状態では、図２及び図４に示す撮影状態よりも光軸方向の光学系の長さ（第１レンズ群ＬＧ１の物体側の面から撮像素子７１の撮像面までの距離）が短くなっている。この鏡筒収納状態において撮影状態への移行信号（例えば、ズームレンズ鏡筒７０が搭載されるカメラに設けたメインスイッチのオン）が入力されると、ズームモータ１５０が鏡筒繰出方向に駆動され、カム環１１が回転しながら光軸方向前方へ繰り出される。直進案内環１０と第１繰出筒１３は、カム環１１と共に前方に直進移動する。カム環１１が回転すると、その内側では、直進案内環１０を介して直進案内された２群レンズ移動枠８が、２群用カムフォロアＣＦ２と２群制御カム溝ＣＧ２の関係によって光軸方向に所定の軌跡で移動される。また、カム環１１が回転すると、該カム環１１の外側では、第１繰出筒１３を介して直進案内された第２繰出筒１２が、１群用カムフォロアＣＦ１と１群制御カム溝ＣＧ１の関係によって光軸方向に所定の軌跡で移動される。
【００２２】
すなわち、鏡筒収納状態からの第１レンズ群ＬＧ１と第２レンズ群ＬＧ２の繰出量はそれぞれ、前者が、ハウジング２２に対するカム環１１の前方移動量と、該カム環１１に対する第２繰出筒１２のカム繰出量との合算値として決まり、後者が、ハウジング２２に対するカム環１１の前方移動量と、該カム環１１に対する２群レンズ移動枠８のカム繰出量との合算値として決まる。ズーミングは、この第１レンズ群ＬＧ１と第２レンズ群ＬＧ２が互いの空気間隔を変化させながら撮影光軸Ｏに沿って移動することにより行われる。収納状態から鏡筒繰出を行うと、まず図４の上半断面に示すワイド端の繰出状態になり、さらにズームモータ１５０を鏡筒繰出方向に駆動させると、図４の下半断面に示すテレ端の繰出状態となる。テレ端とワイド端の間のズーム領域では、カム環１１は前述の定位置回転を行い、光軸方向へは進退しない。収納状態への移行信号（例えば、カメラのメインスイッチのオフ）が入力されると、ズームモータ１５０が鏡筒収納方向に駆動され、ズームレンズ鏡筒７０は以上の繰出動作とは逆の収納動作を行う。
【００２３】
また、第２繰出筒１２の前端部には、第１レンズ群ＬＧ１の前方を開閉可能なバリヤ羽根１０４が設けられており、鏡筒収納状態ではバリヤ羽根１０４が閉じており、撮影状態への繰り出し動作に応じてバリヤ羽根１０４が開かれる。
【００２４】
第３レンズ群ＬＧ３を支持する３群レンズ枠５１は、以上のズームモータ１５０による第１レンズ群ＬＧ１及び第２レンズ群ＬＧ２の駆動とは独立して、ＡＦモータ１６０によって光軸方向に前後移動させることができる。そして、光学系がワイド端からテレ端までのズーム域にあるとき、測距手段によって得られた被写体距離情報に応じてＡＦモータ１６０を駆動することにより、第３レンズ群ＬＧ３が光軸方向に移動してフォーカシングが実行される。
【００２５】
主に図５以下を参照して、シャッタブロック（光量調節ユニット）１００の支持構造を説明する。２群レンズ移動枠８は、外周面に２群用カムフォロアＣＦ２が形成された円筒部８ａを有し、円筒部８ａに形成した光軸方向の長溝であるガイド溝８ｂと、直進案内環１０に設けた直進案内キー１０ａ（図４）との嵌合関係によって、光軸方向に直進案内されている。図７及び図８に示すように、２群レンズ移動枠８は、円筒部８ａの前端部付近の内周面上に、撮影光軸Ｏと略直交する環状の前方フランジ部８ｃを有する。前方フランジ部８ｃの内径側には、撮影光軸Ｏに近付くにつれて段階的に光軸方向後方に位置を変化させる２群保持環部８ｄが形成されており、２群保持環部８ｄと２群レンズ保持枠２の間に第２レンズ群ＬＧ２が保持されている。２群レンズ移動枠８における前方フランジ部８ｃ及び２群保持環部８ｄの後部にはシャッタブロック格納空間８ｅが形成されている。図６に示すように、前方フランジ部８ｃのうちシャッタブロック格納空間８ｅに臨む後面側には、前方ガイドピン８ｆとばね支持ピン８ｇが突設されている。ばね支持ピン８ｇには、圧縮コイルばねからなるシャッタブロック付勢ばね３０が支持される。前方ガイドピン８ｆの近傍には、円筒部８ａの一部を切り欠いてストッパ取付凹部８ｈが形成されている。ストッパ取付凹部８ｈには、ビス穴８ｉと一対の位置決め突起８ｊが形成されている。２群レンズ移動枠８は、前方ガイドピン８ｆ、ばね支持ピン８ｇ、位置決め突起８ｊなどの突出部を含む全体が一体に形成された合成樹脂の成形品である。
【００２６】
ストッパ取付凹部８ｈに対して、シャッタストッパ部材５が取り付けられる。シャッタストッパ部材５は、一対の位置決め突起８ｊに対して係合する一対の位置決め穴５ａと、２群レンズ移動枠８側のビス穴８ｉに連通するビス挿通穴５ｂを有し、ビス挿通穴５ｂを通してビス穴８ｉに固定ビス３２を螺合させることにより、２群レンズ移動枠８に対して固定される。シャッタストッパ部材５は、ストッパ取付凹部８ｈに固定される部分から光軸方向後方にオフセットさせて、前方フランジ部８ｃに対向する後方移動規制部５ｃを有し、この後方移動規制部５ｃから光軸方向前方に向けて後方ガイドピン５ｄが突出している。シャッタストッパ部材５は、後方移動規制部５ｃや後方ガイドピン５ｄを含む全体が一体に形成された合成樹脂の成形品である。
【００２７】
前方ガイドピン８ｆと後方ガイドピン５ｄは、略同径の円柱状突起であり、シャッタストッパ部材５を２群レンズ移動枠８に固定させた状態で同軸上に位置される。このときの前方ガイドピン８ｆと後方ガイドピン５ｄの軸線は、撮影光軸Ｏと略平行である。そして、図７及び図８に示すように、この同軸上に位置する前方ガイドピン８ｆと後方ガイドピン５ｄは、互いの先端部が光軸方向に離間している。
【００２８】
シャッタブロック１００は、シャッタ羽根（光量調節部材）Ｓを内部に支持するシャッタ保持枠（光量調節部材保持枠）１００ａを備え、シャッタ保持枠１００ａの外周部付近には、光軸方向に貫通する貫通スリーブ部１００ｂの前端部付近と後端部付近に位置させて、前方ピン支持穴１００ｃと後方ピン支持穴１００ｄが形成されている。前方ピン支持穴１００ｃと後方ピン支持穴１００ｄは、それぞれの軸線が撮影光軸Ｏと平行をなす円形の貫通穴であり、同軸上に位置している。前方ピン支持穴１００ｃは、前方ガイドピン８ｆを軸線方向へ遊びなく摺動可能に挿入させる内径サイズを有し、後方ピン支持穴１００ｄは、後方ガイドピン５ｄを軸線方向へ遊びなく摺動可能に挿入させる内径サイズを有する。貫通スリーブ部１００ｂは、前方ピン支持穴１００ｃと後方ピン支持穴１００ｄの間では、図６に示すように周面の一部が存在しない部分円筒状に形成されているが、この中間の部分円筒状部における貫通スリーブ部１００ｂの内径サイズは、前方ピン支持穴１００ｃ及び後方ピン支持穴１００ｄの内径サイズよりも大きい。前方ピン支持穴１００ｃの前部には、光軸方向前方へ進むにつれて徐々に内径を大きくする円錐状内面のテーパ開口部１００ｅが形成され、後方ピン支持穴１００ｄの後部には、光軸方向後方へ進むにつれて徐々に内径を大きくする円錐状内面のテーパ開口部１００ｆが形成されている。シャッタ保持枠１００ａにはまた、貫通スリーブ部１００ｂの近傍に位置する前面側に、シャッタブロック付勢ばね３０を挿入可能なばね支持穴１００ｇ（図５）が形成されている。また、シャッタ保持枠１００ａの外周部には、回り止めキー受け部１００ｈが形成され、シャッタブロック格納空間８ｅの内周面には、回り止めキー受け部１００ｈに対して光軸方向に摺動可能で回転は規制される回り止めキー８ｍが形成されている。シャッタ保持枠１００ａの前面側には、２群保持環部８ｄに対応する形状の前面凹部１００ｊが形成されている。また、シャッタ保持枠１００ａの後面側には、シャッタ羽根Ｓの後部を塞ぐ後方カバー板１００ｋが取り付けられている。後方カバー板１００ｋには、シャッタ羽根Ｓによって開閉される円形のシャッタ開口１００ｍが形成されている。
【００２９】
シャッタブロック１００は次のように２群レンズ移動枠８に対して組み付けられる。まず、ばね支持ピン８ｇにシャッタブロック付勢ばね３０を支持させた状態でシャッタブロック格納空間８ｅ内にシャッタブロック１００を組み込む。回り止めキー受け部１００ｈに回り止めキー８ｍが嵌合する位相で、２群レンズ移動枠８の後端部側から前方フランジ部８ｃに接近させる方向（前方）にシャッタブロック１００を進入させると、前方ピン支持穴１００ｃに対して前方ガイドピン８ｆが挿入され、ばね支持穴１００ｇにシャッタブロック付勢ばね３０が挿入される。このとき、前方ピン支持穴１００ｃの前部に形成されたテーパ開口部１００ｅの存在により、前方ピン支持穴１００ｃへの前方ガイドピン８ｆの挿入を容易に行わせることができる。
【００３０】
続いて、ストッパ取付凹部８ｈにシャッタストッパ部材５を取り付ける。位置決め突起８ｊと位置決め穴５ａによってシャッタストッパ部材５を位置決めした状態で、後方ガイドピン５ｄは前方ガイドピン８ｆと同軸上に位置されるため、ストッパ取付凹部８ｈに対するシャッタストッパ部材５の組み付けに応じて、シャッタブロック１００の後方ピン支持穴１００ｄに対して後方ガイドピン５ｄが挿入される。このとき、後方ピン支持穴１００ｄの後部に形成されたテーパ開口部１００ｆの存在により、後方ピン支持穴１００ｄへの後方ガイドピン５ｄの挿入を容易に行わせることができる。そして、固定ビス３２によってシャッタストッパ部材５を固定することで、シャッタブロック１００は、光軸方向において２群レンズ移動枠８の前方フランジ部８ｃとシャッタストッパ部材５の後方移動規制部５ｃの間に位置して、シャッタブロック格納空間８ｅ内に保持される。
【００３１】
以上のようにして２群レンズ移動枠８にシャッタブロック１００を組み付けた状態では、シャッタブロック１００は、２群レンズ移動枠８及びシャッタストッパ部材５に対して、前方ガイドピン８ｆに対する前方ピン支持穴１００ｃの摺接関係と、後方ガイドピン５ｄに対する後方ピン支持穴１００ｄの摺接関係によって光軸方向へ可動に支持される。シャッタブロック１００は、回り止めキー受け部１００ｈと回り止めキー８ｍの嵌合関係によって、２群レンズ移動枠８に対する回転が規制され、光軸方向移動のみ可能に直進案内される。図７及び図８に示すように、シャッタブロック１００における貫通スリーブ部１００ｂの光軸方向長さＤ１は、前方フランジ部８ｃと後方移動規制部５ｃの光軸方向間隔Ｄ２よりも短く、シャッタブロック１００は、前方フランジ部８ｃによって規定される前方移動端と、後方移動規制部５ｃによって規定される後方移動端の間で移動が可能である。前方ガイドピン８ｆの先端部と後方ガイドピン５ｄの先端部の間は光軸方向に離間しているが、シャッタブロック１００の前後移動端の間の可動量（Ｄ２-Ｄ１）の範囲内では、前方ピン支持穴１００ｃから前方ガイドピン８ｆが脱落せず、かつ後方ピン支持穴１００ｄから後方ガイドピン５ｄが脱落しないように、各ガイドピン８ｆ、５ｄの軸長と、各ピン支持穴１００ｃ、１００ｄの形成位置が定められている。シャッタブロック１００の組み付け状態でシャッタブロック付勢ばね３０は圧縮されており、シャッタブロック付勢ばね３０が復元しようとする力によって、シャッタブロック１００は、貫通スリーブ部１００ｂを後方移動規制部５ｃに当て付ける後方移動端側に付勢されている。
【００３２】
図８に示す撮影状態では、シャッタブロック１００は、シャッタブロック付勢ばね３０の付勢力によってシャッタブロック格納空間８ｅ内の後方移動端に保持され、シャッタ羽根Ｓは、第２レンズ群ＬＧ２の後方に位置している。撮影状態から鏡筒収納状態に移行するとき、２群レンズ移動枠８はズームモータ１５０の駆動力によってカム環１１を介して光軸方向後方に移動され、シャッタブロック格納空間８ｅ内に保持されたシャッタブロック１００も同様に後退する。２群レンズ移動枠８がある程度後退されると、シャッタブロック１００に設けた第１後方突出部１００ｎ（図６）が、撮像素子ホルダ２３に設けた前方突出部２３ａ（図４）に当て付き、後方への移動が規制される。一方、２群レンズ移動枠８は後退を継続し、その結果、前方ガイドピン８ｆと前方ピン支持穴１００ｃ、後方ガイドピン５ｄと後方ピン支持穴１００ｄの関係によって光軸方向へ移動可能に支持されたシャッタブロック１００が、シャッタブロック付勢ばね３０の付勢力に抗して、後方移動規制部５ｃから離れてシャッタブロック格納空間８ｅ内で相対的に前方へ移動され、前方フランジ部８ｃに接近する。ズームレンズ鏡筒７０が収納状態まで達すると、図７のように、シャッタブロック１００がシャッタブロック格納空間８ｅ内の前方移動端付近まで移動され、貫通スリーブ部１００ｂの前端部が前方フランジ部８ｃに近接し、かつ前面凹部１００ｊ内に２群保持環部８ｄが進入する。また、シャッタ開口１００ｍの内側に２群保持環部８ｄの後端部付近が進入し、シャッタ羽根Ｓは、第２レンズ群ＬＧ２の一部と光軸方向位置が重なる。このとき、シャッタ羽根Ｓは開かれてシャッタ開口１００ｍより外径側に退避されており、第２レンズ群ＬＧ２とは干渉しない。また、シャッタブロック１００と撮像素子ホルダ２３の間には、第３レンズ群ＬＧ３を保持する３群レンズ枠５１が位置しており、鏡筒収納動作時には、シャッタブロック１００に設けた第２後方突出部１００ｐ（図６）が３群レンズ枠５１に当接して、３群レンズ枠５１を図７に示す光軸方向後方の移動端まで後退させることができる。そして、２群レンズ移動枠８と３群レンズ枠５１がそれぞれの後方移動端に達したとき、図７のようにシャッタブロック格納空間８ｅ内に第３レンズ群ＬＧ３が進入し、第２レンズ群ＬＧ２と第３レンズ群ＬＧ３の光軸方向距離が縮まる。
【００３３】
このように、ズームレンズ鏡筒７０が撮影状態から収納状態に移行するときに、シャッタブロック１００がシャッタブロック付勢ばね３０の付勢力に抗してシャッタブロック格納空間８ｅ内での光軸方向位置を相対的に変化させることにより、２レンズ群ＬＧ２からシャッタ羽根Ｓを挟んで第３レンズ群ＬＧ３までの光学要素が光軸方向に占める収納スペースを短くすることができ、鏡筒収納長の短縮化を図ることができる。そして、シャッタブロック１００の光軸方向移動の案内手段を、２群レンズ移動枠８に設けた前方ガイドピン８ｆとシャッタストッパ部材５に設けた後方ガイドピン５ｄとに分けて配し、これら前後のガイドピン８ｆ、５ｄによってシャッタ保持枠１００ａを両側から支持する構成としている。これにより、シャッタブロック１００の貫通スリーブ部１００ｂの光軸方向長さに対し、個々のガイドピン８ｆ、５ｄの全長は短くなるため、光軸方向に長いシャフトを成形する場合のような離型用の抜き勾配が不要となり、シャッタブロック１００を高精度に支持案内することができる。前述の通り、シャッタブロック格納空間８ｅ内におけるシャッタブロック１００の可動範囲全体で、常に前後のガイドピン８ｆ、５ｄが対応のピン支持穴１００ｃ、１００ｄに支持される状態が維持されるので、前後のガイドピン８ｆ、５ｄが互いの先端部を離間させていても、シャッタブロック１００に倒れや傾きが生じるおそれがない。また、ガイドピン８ｆ、５ｄはそれぞれ２群レンズ移動枠８とシャッタストッパ部材５に一体成形されているので、金属製の別部材からなるガイドシャフトを用いるよりもコスト的に有利である。
【００３４】
以上、図示実施形態に基づき本発明を説明したが、本発明は、この実施形態に限定されるものではない。例えば、実施形態では、シャッタブロック１００にピン支持穴１００ｃ、１００ｄを設け、シャッタブロック１００の前後の２群レンズ移動枠８とシャッタストッパ部材５に前後のガイドピン８ｆ、５ｄを設けているが、このガイドピンとピン支持穴の配置を逆にすることもできる。
【００３５】
また、実施形態では、前後のガイドピン８ｆ、５ｄが同軸上に位置しており、これはシャッタブロック１００の傾き防止に有効な構造であるが、傾きが生じない十分な支持精度が得られるのであれば、前後のガイドピンを非同軸の関係で配置することも可能である。
【００３６】
また、実施形態では、鏡筒収納時にシャッタブロック１００の第１後方突出部１００ｎを撮像素子ホルダ２３の前方突出部２３ａに当接させて後退移動を規制しているが、シャッタブロック１００の後退移動を規制する部位は、これに限定されない任意の後方部材とすることができる。
【００３７】
また、実施形態では、シャッタブロック１００は光軸方向後方に向けて付勢され、鏡筒収納時に後方の部材（撮像素子ホルダ２３の前方突出部２３ａ）に当て付いてシャッタブロック格納空間８ｅ内での位置が相対的に前方に変化されるが、本発明では、これと逆に、シャッタブロック１００に相当する光量調節ユニットを光軸方向前方へ向けて付勢し、収納状態になるとき、この付勢力に抗して前方の支持部材から離れて後方の支持部材に接近するように構成する態様も可能である。要は、収納状態になるときに、前後の支持部材に対する光量調節部材の相対移動によって、コンパクト化が図れる構成であればよい。
【００３８】
また、実施形態では、光量調節ユニットとしてシャッタ羽根を有するシャッタブロックを適用した例を示しているが、本発明における光量調節部材は、シャッタ羽根に限定されるものではなく、例えば、絞り羽根やＮＤフィルタなどの透過光量を調整するタイプの部材にも適用が可能である。
【図面の簡単な説明】
【００３９】
【図１】本発明を適用したズームレンズ鏡筒の収納状態の外観斜視図である。
【図２】同ズームレンズ鏡筒の撮影状態の外観斜視図である。
【図３】同ズームレンズ鏡筒の収納状態の断面図である。
【図４】同ズームレンズ鏡筒の撮影状態の断面図である。
【図５】２群レンズ移動枠によるシャッタブロック支持構造を示す、前方から見た分解斜視図である。
【図６】２群レンズ移動枠によるシャッタブロック支持構造を示す、後方から見た分解斜視図である。
【図７】ズームレンズ鏡筒の収納状態におけるシャッタブロック付近を拡大した断面図である。
【図８】ズームレンズ鏡筒の撮影状態（ワイド端）におけるシャッタブロック付近を拡大した断面図である。
【符号の説明】
【００４０】
１  １群レンズ保持枠
２  ２群レンズ保持枠
５  シャッタストッパ部材
５ａ  位置決め穴
５ｂ  ビス挿通穴
５ｃ  後方移動規制部
５ｄ  後方ガイドピン
８  ２群レンズ移動枠
８ａ  円筒部
８ｂ  ガイド溝
８ｃ  前方フランジ部
８ｄ  ２群保持環部
８ｅ  シャッタブロック格納空間
８ｆ  前方ガイドピン
８ｇ  ばね支持ピン
８ｈ  ストッパ取付凹部
８ｉ  ビス穴
８ｊ  位置決め突起
８ｍ  回り止めキー
１０  直進案内環
１０ａ  直進案内キー
１１  カム環
１２  第２繰出筒
１３  第１繰出筒
２２  ハウジング
２３  撮像素子ホルダ
２３ａ  前方突出部
２５  ローパスフィルタ
２７  群間付勢ばね
３０  シャッタブロック付勢ばね
３２  固定ビス
５１  ３群レンズ枠
７０  ズームレンズ鏡筒
７１  撮像素子
１００  シャッタブロック（光量調節ユニット）
１００ａ  シャッタ保持枠（光量調節部材保持枠）
１００ｂ  貫通スリーブ部
１００ｃ  前方ピン支持穴
１００ｄ  後方ピン支持穴
１００ｅ  テーパ開口部
１００ｆ  テーパ開口部
１００ｇ  ばね支持穴
１００ｈ  回り止めキー受け部
１００ｊ  前面凹部
１００ｋ  後方カバー板
１００ｍ  シャッタ開口
１００ｎ  第１後方突出部
１００ｐ  第２後方突出部
１０４  バリヤ羽根
１５０  ズームモータ
１６０  ＡＦモータ
ＣＦ１  １群用カムフォロア
ＣＦ２  ２群用カムフォロア
ＣＧ１  １群制御カム溝
ＣＧ２  ２群制御カム溝
ＬＧ１  第１レンズ群
ＬＧ２  第２レンズ群
ＬＧ３  第３レンズ群
Ｏ  撮影光学系の光軸
Ｓ  シャッタ羽根（光量調節部材）
【図１】
2010008744.tif 000003
【図２】
2010008744.tif 000004
【図３】
2010008744.tif 000005
【図４】
2010008744.tif 000006
【図５】
2010008744.tif 000007
【図６】
2010008744.tif 000008
【図７】
2010008744.tif 000009
【図８】
2010008744.tif 000010